(57)【要約】      （修正有）【課題】ポンプの状況を正確に監視することができる監視装置を低コストで提供する。【解決手段】本発明に係る監視装置は、ポンプの運転状況を示す運転表示部２１，２２，２６およびポンプの故障の発生を示す故障表示部２３を備えた集合表示盤２０と、当該集合表示盤２０の映像を撮影する監視カメラ３０と、監視室に設置され、監視カメラ３０が撮影した映像を映すためのモニタ４０と、を備える。【選択図】図３
2015087971.tif 000002
【特許請求の範囲】
【請求項１】
ポンプの運転状況を示す運転表示部および前記ポンプの故障の発生を示す故障表示部を備えた集合表示盤と、
前記集合表示盤の映像を撮影する監視カメラと、
監視室に設置され、前記監視カメラが撮影した映像を映すためのモニタと、を備えたことを特徴とする監視装置。
【請求項２】
前記運転表示部は、前記ポンプの吐出圧力を表示する圧力表示部、および前記ポンプを駆動するための電流値を表示する電流表示部のうちの少なくとも一方を含むことを特徴とする請求項１に記載の監視装置。
【請求項３】
前記監視カメラが撮影した映像を記録する記録部をさらに備えたことを特徴とする請求項１または２に記載の監視装置。
【請求項４】
前記集合表示盤は、故障内容を表示する文字表示部をさらに備えたことを特徴とする請求項１乃至３のいずれか一項に記載の監視装置。
【請求項５】
前記集合表示盤は、前記ポンプの始動進行状態を示す始動進行状態表示部をさらに備えたことを特徴とする請求項１乃至４のいずれか一項に記載の監視装置。
【請求項６】
前記監視カメラは、前記ポンプの映像を撮影可能なように回動可能に構成され、当該監視カメラは、サーモグラフィ機能を有することを特徴とする請求項１乃至５のいずれか一項に記載の監視装置。
【請求項７】
前記ポンプのサーモグラフィ映像を取得するサーモグラフィカメラをさらに備えたことを特徴とする請求項１乃至５のいずれか一項に記載の監視装置。
【請求項８】
前記ポンプの運転状態を示す表示灯を当該ポンプに隣接してさらに備え、前記監視カメラは、前記表示灯の映像を撮影可能なように回動可能に構成されていることを特徴とする請求項１乃至７のいずれか一項に記載の監視装置。
【請求項９】
前記ポンプの運転状態を示す表示灯と、前記表示灯の映像を撮影する監視カメラと、をさらに備えたことを特徴とする請求項１乃至７のいずれか一項に記載の監視装置。
【請求項１０】
前記表示灯が示す運転状態は、運転、故障、および始動中の３種類の運転状態であることを特徴とする請求項８または９に記載の監視装置。
【請求項１１】
ポンプと、
前記ポンプを駆動するための駆動機と、
請求項１乃至１０のいずれか一項に記載の監視装置と、
を備えたことを特徴とするポンプ設備。
【発明の詳細な説明】
【技術分野】
【０００１】
本発明は、ポンプの監視装置および当該監視装置を備えたポンプ設備（ポンプ機場）に関する。
【背景技術】
【０００２】
大雨などが原因で河川水位が上昇した際の氾濫を防止するための手段としてポンプ設備がある。このポンプ設備は、図９に示されるように、支川に隣接して配置され、支川の水位が上昇した際に、ポンプ２を起動して、支川の水流の一部を強制的に本川に移送する。ポンプ設備は、支川の水の一部が流入する吸込水槽１と、吸込水槽１に流入した水を排出するためのポンプ２と、ポンプ２から吐出された水を溜める吐出水槽３と、吐出水槽３の出口を本川に連結する排水樋門４とを有する。支川が本川に合流する位置には、自然流下樋門１１が設けられており、降雨等が無く本川の水位が支川の水位より低い通常時は、この自然流下樋門１１は開状態にある。
【０００３】
このようなポンプ設備では、図１０に示すように、ポンプ２とその駆動機５がポンプ室６に設置される。駆動機５は、電動機またはエンジンなどから構成され、図示しない減速機を介してポンプ２に連結されている。このポンプ室６には、受配電盤７、操作盤８なども配置され、ポンプ２の運転は、受配電盤７、操作盤８を介して駆動機５を動作させることにより行われる。また、ポンプ室６に隣接して、監視室９が設けられる場合がある。この監視室９では、複数設けられるポンプ２の管理および監視が行われる。なお、図９に示されるようなポンプ設備が複数設置される場合、当該複数のポンプ設備を統合して管理する監視室１２を、監視室９の設置場所とは別の遠隔地に設けることもある。
【０００４】
ポンプ室６に配置される操作盤８は、ポンプ２に設けられた計測器から送られてくる故障信号や、水位計、圧力計、および電流計から送られてくる計装信号を受信し表示する機能を持っている。これらの故障信号や計装信号などは、上記した監視室９や、遠隔地に配置された監視室１２にも同様に伝送される。そして、当該監視室９，１２に、これらの信号を表示する表示設備（例えば、表示盤、表示テーブルやディスプレイなど）１０を設けて、作業者がポンプ設備の状態を確認できるようになっている。表示設備１０は、中継制御盤１３を介して、上記信号を受信している。
【０００５】
ポンプ場内に設けられる監視室９に窓があり、この窓からポンプ２の運転状況を直接目視により監視できる場合もあるが、通常は、表示設備１０を眺めることによりポンプ２の運転状況、すなわち、ポンプ２が正常運転中なのか、故障中なのかといった運転状態や、ポンプ２の電流値や圧力値などの状態値を、監視室９で把握することができる。しかしながら、このような表示設備１０は、ポンプ室６に設けた操作盤８とほぼ同じ表示構成を備えているため、コスト面から非常に不経済であった。
【０００６】
また、表示設備１０に送られてくる信号は、ポンプ２の台数分となるため、表示設備１０の表示点数は膨大な数にのぼり、大きな設備が必要になる。ポンプ室から監視室まで敷設する通信線も相応の数となる。そのため、維持管理対象が増えることによるコストの増大や、ポンプ設備建設時の配線や信号確認が煩雑になるなどの問題があった。さらに、機能向上などのためにポンプ設備の改修を行う際には、操作盤８だけでなく、表示設備１０の改修も行う必要があった。そのため、改修工事の範囲が広くなり、経済性の面などから機能向上を目的とした改修を行い難くしていた。特に、遠隔地に配置された監視室１２で複数のポンプ設備を一括管理している場合、ポンプ設備を改修するたびに監視室１２内の表示設備１０も改修する必要があり、コストが膨らんだ。
【０００７】
ポンプ設備に作業員がいれば、河川の水位などに異常が発生した際に、吸込水槽１や、吐出水槽３、あるいはポンプ室６に作業員が実際に行くことで状況を正確に把握することができる。しかしながら、遠隔地にある監視室１２では、作業員は、表示設備１０の表示のみに基づいてポンプ設備の状況を判断しなければならない。このため、表示設備１０に示された異常信号が単なる信号不良（ノイズやインターフェイス不良など）による場合、作業員が間違った判断を下してしまうおそれがある。このため、ポンプ設備の監視・管理の信頼性の点で問題があった。
【０００８】
図９に示す河川の氾濫対策としてのポンプ設備では、ポンプの運転が必要ない平常時には作業員は常駐していないのが通例である。河川の水位が上昇するなどの有事の際に、近隣より作業員が駆けつけ、ポンプ設備の操作を行っている。地震や津波などが発生した場合、上記した表示設備１０だけでは、作業員はポンプ設備の安全確認を確実に行うことができない。遠隔地に設けられた監視室１２からは、ポンプ設備の安全確認だけでなく作業員の安否確認を十分に行うことができないという問題もあった。
【先行技術文献】
【特許文献】
【０００９】
【特許文献１】特開平８−２７８８１１号公報
【発明の概要】
【発明が解決しようとする課題】
【００１０】
本発明は、上述した問題点に鑑みてなされたもので、ポンプ設備の状況を正確に把握することができる監視装置を低コストで提供することを目的とする。また、本発明は、そのような監視装置を備えたポンプ設備を提供することを目的とする。
【課題を解決するための手段】
【００１１】
上述した課題を解決するための本発明の一態様は、ポンプの運転状況を示す運転表示部および前記ポンプの故障の発生を示す故障表示部を備えた集合表示盤と、前記集合表示盤の映像を撮影する監視カメラと、監視室に設置され、前記監視カメラが撮影した映像を映すためのモニタと、を備えたことを特徴とする監視装置である。
【００１２】
本発明の好ましい態様は、前記運転表示部は、前記ポンプの吐出圧力を表示する圧力表示部、および前記ポンプを駆動するための電流値を表示する電流表示部のうちの少なくとも一方を含むことを特徴とする。
本発明の好ましい態様は、前記監視カメラが撮影した映像を記録する記録部をさらに備えたことを特徴とする。
【００１３】
本発明の好ましい態様は、前記集合表示盤は、故障内容を表示する文字表示部をさらに備えたことを特徴とする。
本発明の好ましい態様は、前記集合表示盤は、前記ポンプの始動進行状態を示す始動進行状態表示部をさらに備えたことを特徴とする。
【００１４】
本発明の好ましい態様は、前記監視カメラは、前記ポンプの映像を撮影可能なように回動可能に構成され、当該監視カメラは、サーモグラフィ機能を有することを特徴とする。
本発明の好ましい態様は、前記ポンプのサーモグラフィ映像を取得するサーモグラフィカメラをさらに備えたことを特徴とする。
【００１５】
本発明の好ましい態様は、前記ポンプの運転状態を示す表示灯を当該ポンプに隣接してさらに備え、前記監視カメラは、前記表示灯の映像を撮影可能なように回動可能に構成されていることを特徴とする。
本発明の好ましい態様は、前記ポンプの運転状態を示す表示灯と、前記表示灯の映像を撮影する監視カメラと、をさらに備えたことを特徴とする。
本発明の好ましい態様は、前記表示灯が示す運転状態は、運転、故障、および始動中の３種類の運転状態であることを特徴とする。
【００１６】
本発明の他の態様は、ポンプと、前記ポンプを駆動するための駆動機と、上記監視装置と、を備えたことを特徴とするポンプ設備である。
【発明の効果】
【００１７】
本発明の構成によれば、監視カメラから送られてくる表示灯などのポンプの運転状態を示す映像が、監視室に設置されたモニタに表示される。したがって、監視室に、膨大な数の信号をそれぞれ表示するための表示設備を設ける必要が無いので、表示設備や配線などの設置コストを大幅に削減することが可能になると共に、維持管理費を低く抑えることが可能となる。また、本発明の構成によれば集合表示盤の映像を送るための配線をモニタに接続するだけでよいので、設置工事費用を大幅に削減することが可能となる。さらに、ポンプ設備の改修の際には、監視室内の改修は不要であるため、短期間でかつ安価に設備改修を行うことができる。さらに、信号配線の数を大幅に削減できることから、ノイズやインターフェイス不良などの信号不良はほとんど発生しない。したがって、ポンプ設備監視の信頼性を向上させることができる。
【図面の簡単な説明】
【００１８】
【図１】本発明の一実施形態に係るポンプ設備の概略平面図である。
【図２】ポンプ設備の機器構成の概略図である。
【図３】監視カメラが写す集合表示盤の一例を示した図である。
【図４】監視カメラが写す集合表示盤の他の例を示した図である。
【図５】監視カメラがポンプ室内を撮影している状態を示す概略図である。
【図６】ポンプの主軸にマーカが付された例を示した概略図である。
【図７】監視カメラが写す集合表示盤のさらに他の例を示した図である。
【図８】２台の監視カメラを設けた例を示す図である。
【図９】従来のポンプ設備の概略平面図である。
【図１０】従来のポンプ設備の機器構成の概略図である。
【発明を実施するための形態】
【００１９】
以下、本発明の実施形態について図面を参照しながら説明する。
図１は、本発明の一実施形態に係るポンプ設備の概略平面図である。図２は、ポンプ設備の機器構成の概略図である。なお、以下に説明するポンプ設備の実施形態は、河川の水を移送するためのポンプ設備であるが、本発明はこの実施形態に限定されない。図１に示されるように、ポンプ設備は、支川を流れる水の一部が流入する吸込水槽１と、吸込水槽１に流入した水を移送するための複数のポンプ２と、ポンプ２から吐出された水を溜める吐出水槽３と、吐出水槽３内の水を本川に排出する排水樋門４とを有する。ポンプ２は、吸込水槽１内の水を吸い込んで昇圧後、吐出水槽３に吐出し、吐出水槽３の水は、排水樋門４から本川に排出される。支川が本川に合流する位置には、自然流下樋門１１が設けられ、降雨等が無く本川の水位が支川の水位より低い通常時は、この自然流下樋門１１は開状態にある。
【００２０】
このポンプ設備のポンプ２は、図２に示されるように、ポンプ２を駆動するための駆動機５に連結される。駆動機５は、電動機やエンジンから構成され、減速機１４を介してポンプ２と連結される。ポンプ２や駆動機５が配置されるポンプ室６には、受配電盤７および操作盤８が配置される。複数台設置されるポンプ２それぞれに対して、個別の操作盤１５が設けられる。さらに、ポンプ設備では、ポンプ２に取り付けられた計測器の測定値およびポンプ２の故障信号を表示する複数の表示部を備えた集合表示盤２０がポンプ室６内に配置される。
【００２１】
ポンプ２が５台配置される場合の集合表示盤２０の拡大図の一例が図３に示される。集合表示盤２０は、ポンプ２を駆動するための電流値を表示する５つの電流表示部２１（上段）と、ポンプ２の吐出圧力値を表示する５つの圧力表示部２２（下段）とを有している。これら５つの電流表示部２１と圧力表示部２２とは５台のポンプ２のそれぞれに対して設けられる。電流表示部２１と圧力表示部２２の左側には水位表示部２６を有し、上段に支川水位、下段に本川水位が示されている。なお、電流表示部２１、圧力表示部２２のどちらか一方だけを配置してもよい。さらに、ポンプ２および／または駆動機５の温度値を表示する温度表示部を設けてもよい。このようなポンプ２の運転状況を示す電流、圧力、水位、温度などの計測値を表示するための表示部を、以下、運転表示部という。なお、電流や圧力などの計測値については、図示しているように、指示針によるアナログ式表示が好ましいが、デジタル式の表示器を用いることもできる。
【００２２】
運転表示部２１，２２，２６が配置される下方には、ポンプ２の故障発生を示す故障表示部２３が配置される。ここに図示した例では、５台のポンプ２それぞれに対して、６種類の故障表示部２３が設けられる。すなわち、図３において、「地絡」とはポンプ２の漏電を表し、「過負荷」とはポンプ２の過負荷を表す。「ＰＦ断」は、ポンプ２のヒューズ断線を表し、「吸水位低」は、ポンプ２の吸水位が警報値よりも低下したことを表す。「落水」は、インペラケーシング、吊下管、および吐出曲管などにより構成される、ポンプ２のポンプケーシングにおけるサイフォンが破壊されたことを表し、「始動渋滞」は、ポンプ２の始動工程が何らかの原因で先に進まないことを表す。ポンプ設備に故障が発生した際に、対応する故障表示部２３が点灯または点滅することで、故障の発生および故障の箇所を伝える。
【００２３】
このような集合表示盤２０を撮影する監視カメラ３０が、ポンプ室６に設けられる。監視カメラ３０は、集合表示盤２０のカラー動画を取得するように構成される。監視カメラ３０が撮影した集合表示盤２０の映像は、ポンプ室６外の監視室９内に設置されるモニタ４０に映像コントローラ３５を介して映し出される（図２参照）。ポンプ設備の設置場所から離れた遠隔地に別の監視室１２が設けられている場合には、当該監視室１２内に配置されたモニタ４０にも、監視カメラ３０が撮影した集合表示盤２０の映像を、映像コントローラ３５を介して送ることができる。監視室９が設けられておらず、遠隔地に監視室１２だけが設けられている場合は、監視室１２のモニタ４０だけに集合表示盤２０の映像が送られる。
【００２４】
このような構成であれば、ローカル監視室である監視室９および遠方に設けられる中央監視室である監視室１２に、膨大な数の計測値や信号をそれぞれ表示するための表示設備（図９の符号１０参照）を設ける必要が無いので、設置コストを大幅に削減することが可能になると共に、維持管理費を低く抑えることが可能となる。また、従来から用いられてきた表示設備１０には、ポンプ２の故障信号や運転信号に加えて、圧力値や電流値などの計測信号を送信するための配線を全て接続する必要があったが、本実施形態の構成によれば監視カメラ３０から出力される映像信号を送信するための配線のみをモニタ４０に接続するだけでよいので、設置工事費用を大幅に削減することが可能となる。また、ポンプ設備の改修の際には、監視室９，１２における改修は不要であるため、短期間でかつ安価に設備改修を行うことができる。さらに、信号配線の数を大幅に削減できることから、ノイズやインターフェイス不良などの信号不良がほとんど発生しない。したがって、ポンプ設備の監視の信頼性を向上させることができる。また、監視カメラ３０を回動させれば、ポンプ２が配置されているポンプ室６の内部を監視することが可能であり、天災時にポンプ設備の転倒・破壊等について確認することができる。
【００２５】
監視カメラ３０は、集合表示盤２０を撮影するように固定設置されていてもよいが、上記したように、監視カメラ３０を回動可能に構成してもよい。監視カメラ３０を回動可能にした場合、ポンプ室６内部全体の状況が確認できるためである。特に、監視カメラ３０にズーム機能を持たせると、ポンプ室６の内部監視がさらに容易で確実となる。なお、回動可能としたカメラに、あらかじめ設定した映像位置に自動的に回動するようなプリセット機能を持たせてもよい。
【００２６】
集合表示盤２０を撮影する監視カメラ３０の他に、ポンプ室６内のポンプ２を撮影する監視カメラ３１、吸込水槽１の水位を撮影する監視カメラ３２、および排水樋門４を撮影する監視カメラ３３をさらに設けてもよい。これらの監視カメラ３１，３２，３３は、ポンプ設備の動作確認のためや、ポンプ２の吸込側および吐出側の安全確認のために用いられる。この場合、監視室９，１２に、モニタ４０の他に、監視カメラ３１，３２，３３用のモニタをさらに設けることが好ましい。監視カメラ３０用のモニタ４０の画面を分割して、監視カメラ３１，３２，３３から送られる映像をモニタ４０上に映し出すようにしてもよい。
【００２７】
吸込水槽１の水位を示す指示計を吸込水槽１の壁面などに設置して、監視カメラ３２がこの指示計を撮影し、定量的に水位値を確認できるようにしてもよい。同様に、吐出水槽３の水位を示す指示計を、排水樋門４に隣接して設置し、監視カメラ３３がこの指示計を撮影するようにしてもよい。ポンプ２の運転管理項目として、吸込側および吐出側の水位は重要であるため、吸込水槽１および吐出水槽３には水位計が設置されており、その測定値は信号化されて、監視室９，１２に送られている。しかしながら、水位計が故障すると、間違った水位値が作業員に届き、その結果ポンプの運転を間違える危険性がある。そこで、上記したような吸込水槽１および吐出水槽３の水位を示す指示計を、監視カメラ３２，３３でそれぞれ撮影するようにしておけば、作業員は、正確な水位を把握することができる。
【００２８】
ポンプ２の故障時に、集合表示盤２０は、ポンプ２の一括故障信号を監視室９，１２に送るように構成してもよい。このような最小限の信号点数を送る構成とすることにより、モニタ４０が警報を受信した際に、作業員は、どのような故障が発生しているかをモニタ４０を通じて直ちに確認することが可能であり、迅速かつ確実な対応が可能となる。一括故障信号を送る代わりに、集合表示板２０の色変化を検知することができる機能をモニタ４０に付加し、モニタ４０上の集合表示盤２０の色が変化した際に、モニタ４０が警報を発報するように構成してもよい。
【００２９】
図２に示すように、監視カメラ３０が撮影した映像を記録する記録部４５を設けることが好ましい。さらに、上記した監視カメラ３１，３２，３３の映像も記録部４５に記録することが好ましい。記録部４５は、例えばハードディスクドライブであり、モニタ４０または映像コントローラ３５に接続してもよいし、モニタ４０または映像コントローラ３５に内蔵させてもよい。記録部４５は、集合表示盤２０から送られるポンプ２の故障信号を受信できるように構成されると共に、当該故障信号を受けて、故障信号受信前後の所定時間の映像を記録するように構成されてもよい。
【００３０】
従来のポンプ設備では、故障信号に加えて、電流値や圧力値などの計測値を数秒間隔で保存し、トレンドデータとして故障分析に使用していた。しかしながら、過渡的な状態変化を起こす故障時においては、瞬時の異常値を捉えきれないために、十分な状態把握が困難となることがあった。その結果、故障の原因が特定できないことがあった。本実施形態によれば、ポンプ２に故障が発生した際には、記録された映像から圧力値や電流値などの微小時間間隔の動きが確認できる。さらに、監視カメラ３０が撮影した映像に加え、監視カメラ３１，３２，３３が撮影した映像に基づいて、ポンプ設備全体の状況（例えば、ポンプ２の吐出量など）や水位状況を含めた総合的な判断が可能となり、故障原因の特定をより確実なものとすることができる。
【００３１】
次に、図４を用いて、集合表示盤２０の変形例について説明する。図４は、監視カメラ３０が写す集合表示盤２０の他の例を示した図である。図４に示されるように、集合表示盤２０には、文字表示部２４が設けられ、この文字表示部２４には、故障内容が表示される。図４に示した例は、１号ポンプが落水、すなわち、１号ポンプのサイフォンが破壊された故障を表示している。このような文字表示部２４を設けることで、モニタ４０上での故障の視認性が高くなり、作業員は故障内容を確実に把握することが可能になるので、ポンプ設備の早期復旧が可能となる。なお、故障が発生していない状態では、例えば吸込水槽１および／または吐出水槽３の水位などの状態値を表示することで、ポンプ設備の円滑な管理を可能とすることができる。
【００３２】
次に、図５を用いて、監視カメラ３０によるポンプ室６内の撮影について説明する。図５は、監視カメラ３０がポンプ室６内を撮影していることを示す概略図である。本実施形態において、集合表示盤２０を撮影する監視カメラ３０がポンプ室６の内部全体を撮影できるように、当該監視カメラ３０は回動可能に構成される。集合表示盤２０だけでなくポンプ室６の内部全体も撮影できるようにすることで、ポンプ設備全体を監視することができる。また、作業現場を監視カメラ３０で映すことにより、作業員が働いている様子を目視で直接確認できるので、作業員の安否確認にも役立つ。
【００３３】
回動可能に構成された監視カメラ３０にはサーモグラフィ機能を持たせてもよい。あるいは、監視カメラ３０とは別に、サーモグラフィカメラをポンプ室６に設けてもよい。サーモグラフィ機能を有する監視カメラ３０またはサーモグラフィカメラは、ポンプ２などの機器の表面温度を示すサーモグラフィ映像を取得し、これをモニタ４０に送信する。作業員は、モニタ４０上に映し出されたサーモグラフィ映像からポンプ２などの機器の温度状態を把握することができる。このサーモグラフィ映像（動画）も、先に記述した記録部４５に保存される。故障が発生する際には、通常、不具合が発生している機器及び部位が熱を発生する。例えば、軸受の故障では軸受と軸とが擦れあうことで摩擦熱が発生する。上記したようにポンプ室６内の機器のサーモグラフィ映像を記録しておけば、当該サーモグラフィ映像を解析することで、故障発生位置を特定する助けになり得る。また、定期的にサーモグラフィ映像を記録し観察することで、機器の劣化傾向を正確に把握することが可能となる。
【００３４】
図５に示すように、サーモグラフィ機能を有する監視カメラ３０または監視カメラ３１、あるいはサーモグラフィカメラによって撮影されたサーモグラフィ映像を表示するためのモニタ４１を、モニタ４０とは別に監視室９および／または監視室１２に設けてもよい。モニタ４１を設ける代わりに、通常の撮影映像とサーモグラフィ映像とを切り替えることが可能な切替スイッチをモニタ４０または映像コントローラ３５に設けることもできる。
【００３５】
監視カメラ３０や監視カメラ３１にポンプ室６内を撮影させる場合に、図５に示されるように、複数のポンプ２の近傍に、対応するポンプ２の運転状態を示す表示灯３５をそれぞれ設けることが好ましい。図示した表示灯３５は、赤ランプ、黄ランプ、緑ランプ等の異なる発色を有する三色灯であり、赤ランプはポンプ２が故障していることを示し、黄ランプはポンプ２が始動中であることを示し、緑ランプはポンプ２が正常運転中であることを示す。表示灯３５をモニタ４０を通じて視認することにより、作業員は、ポンプ２の運転状態を直ちに判断することができ、また、監視カメラ３０や監視カメラ３１が撮影した映像からもポンプ２の運転状態を確認することができる。さらに、現場に不慣れな作業者であっても、故障の発生場所を速やかに特定でき、故障からの復旧の迅速化を図ることができる。なお、表示灯は図示した３色灯の例に限られず、正常運転中と故障中であることを示す２色灯や、故障中であることのみを示す１色灯であってもよい。
【００３６】
監視カメラ３０や監視カメラ３１にポンプ室６内を撮影させる場合に、図６に示すように、ポンプ２の主軸３４の外周面に、主軸３４が回転すると模様が変わるマーカ３４ａを設けることが好ましい。地震などの災害時には、ポンプ設備を緊急停止しなければならないことがある。このような場合には、監視カメラ３０や監視カメラ３１の撮影映像上に表れるマーカ３４ａの模様の変化から、主軸３４が停止しているか否かを容易に判断することができる。なお、マーカの代わりに自転車等で使用している非接触のダイナモライトを設けて運転時に発光するように構成してもよい。
【００３７】
次に、図７を用いて、集合表示盤２０の変形例について説明する。図７は、監視カメラ３０が写す集合表示盤２０のさらに他の例を示した図である。図７に示されるように、この集合表示盤２０には、ポンプ２の始動進行状態を表示させる始動進行状態表示部２５が設けられている。始動進行状態表示部２５の左端には、現在始動を行っているポンプの号機を表示する号機表示部が配置される。
【００３８】
ポンプ２は、始動指令に従って始動される。駆動機５がエンジンで構成されている場合、初めにエンジンの潤滑油ポンプの運転が開始される。同時に、ポンプケーシング内を真空状態にするための真空ポンプ５０に繋がる真空配管に配置される吸気弁３６が開状態にされる（図５参照）。さらに、図示しないドレン弁が閉じられる。ドレン弁が閉じられ、かつ吸気弁３６が開くと、真空ポンプ５０が始動される。真空ポンプ５０が始動すると、ポンプケーシング内が負圧になり、吸込水槽１内の水によりポンプケーシングが充水される。ポンプケーシング内が満水状態になると、吸気弁３６を閉じて、真空ポンプ５０を停止させ、エンジンの潤滑油の圧力が正常であることを条件に、駆動機５が始動され、ポンプ２の運転が開始される。
【００３９】
このポンプ２の始動運転の進捗に従って、「始動指令」、「初期潤滑油ポンプ運転」、「吸気弁開」、「ドレン弁閉」、「真空ポンプ運転」、「満水」、「吸気弁閉」、「真空ポンプ停止」、「潤滑油圧力正常」、および「主ポンプ運転」の各ランプが点灯または点滅するようになっている。ポンプ２が定常運転に至るまで５〜１０分かかる場合もあり、このようにポンプ２の始動運転が現在どの程度進んでいるかを集合表示盤２０で表示すれば、作業員は監視カメラ３０からの映像をモニタ４０で視認するだけで確実に進捗状況を把握でき、始動異常による排水遅れを未然に防ぐことが可能となる。
【００４０】
また、ポンプ２が故障するのはほとんどの場合始動時であり、どの工程で故障が発生しているのかを点灯または点滅しているランプから確認することができる。したがって、故障の発生と故障の箇所とを早期にかつ確実に把握することが可能であり、早期に対策を講じることが可能となる。なお、ポンプ２の始動が正常に進んでいない場合、すなわちポンプ２の始動動作の各ステップが所定の設定時間内に次のステップに移行しない場合は、集合表示盤２０の故障表示部２３における「始動渋滞」のランプが点灯または点滅するようになっている。
【００４１】
これまで、本発明の実施形態を説明してきたが、上記した集合表示盤２０やポンプ室６内を撮影する監視カメラ３０が故障することもある。この場合の対応策として、集合表示盤２０やポンプ室６内を撮影することが可能な監視カメラ３０を２台設けてもよい。このように監視カメラ３０を二重化しておくことで、一方の監視カメラが故障した場合であっても、他方の監視カメラで集合表示盤２０を撮影することができるので、監視装置の信頼性が向上する。例えば、図８に示すように、回動可能に構成された２台の監視カメラ３０をポンプ室６内に設け、どちらの監視カメラ３０も集合表示盤２０を撮影できる位置に監視カメラ３０を配置するのが好ましい。
【００４２】
また、監視カメラ３０から送られてくる映像を映し出すモニタ４０が故障することも考えられる。この場合の対応策として、映像コントローラ３５（図２参照）に、外部への通信機能を持たせることが考えられる。映像コントローラ３５が有する通信機能としては、インターネット、有線ＬＡＮ、または無線ＬＡＮなどが考えられる。このように映像コントローラ３５に外部への通信機能を持たせれば、別途用意したモニタやモバイル端末（タブレット端末）などに監視カメラ３０が撮影した映像を映し出すことができるので、モニタ４０が故障したとしても監視を継続することが可能になる。また、このように構成すれば、モバイル端末での監視が可能になるため、ポンプ機場へ移動している作業員などが当該モバイル端末でポンプ機場の運転状況や故障状況などを入手できるので、ポンプ設備の運用性が向上する。
【００４３】
さらに、集合表示盤２０の故障表示部２３には、ランプ切れの心配が殆どなく省エネルギーであるとの理由から、ＬＥＤランプが使用されるのが好ましい。しかしながら、落雷などで異常高電圧が集合表示盤２０に付加されるなどしたために、ＬＥＤランプが切れることも考えられる。ランプ切れの対策として、監視室９，１２には、故障表示部２３のＬＥＤランプが正常に点灯することを確認するためのランプテストボタン（図示せず）を設けることができる。故障表示部２３のＬＥＤランプ全てが正常である場合、ランプテストボタンを押すと、これら全てのＬＥＤランプが点灯するようになっている。したがって、ランプテストボタンを押すことで、監視カメラ３０がモニタ４０に映し出す映像から、ランプ切れを起こしているＬＥＤランプを直ちに特定することが可能となる。
【００４４】
ランプテストボタンは、集合表示盤２０に信号線で接続される。このような有線方式に代えて、電波でランプテストボタンの電気信号を集合表示盤２０に送る無線方式を採用することもできる。無線方式が用いられる場合は、信号線を監視室９，１２から引き出す必要がないものの、ノイズなどの影響で故障表示部２３のランプが点灯してしまうことも考えられるため、有線方式のほうが好ましい。
【００４５】
何らかの故障や落雷などで一時的な停電が発生すると、故障を表示していたランプが消え、復電しても発光しない（停電した段階で信号自体が消え、発光用の接点も復帰しているため）ことがある。そこで、集合表示盤２０にターゲット式故障表示器（落下式故障表示器）を併設することが好ましい。ターゲット式故障表示器は、故障表示を機械的に維持・継続することが可能であるので、信頼性の向上につながる。このようなターゲット式故障表示は、市販のものを使用することができる。
【００４６】
以上本発明の実施形態について説明したが、本発明は上記実施形態に限定されるものではなく、特許請求の範囲、及び明細書と図面に記載された技術的思想の範囲内において種々の変形が可能である。
【符号の説明】
【００４７】
１    吸込水槽
２    ポンプ
３    吐出水槽
４    排水樋門
５    駆動機
６    ポンプ室
７    受配電盤
８    操作盤
９    監視室
１０    表示設備
１１    自然流下樋門
１２    監視室
１３    中継制御盤
１４    減速機
１５    操作盤
２０    集合表示盤
２１    電流表示部
２２    圧力表示部
２３    故障表示部
２４    文字表示部
２５    始動進行状態表示部
２６    水位表示部
３０    監視カメラ
３１    監視カメラ
３２    監視カメラ
３３    監視カメラ
３４    主軸
３４ａ  マーカ
３５    映像コントローラ
３６    吸気弁
４０    モニタ
４１    モニタ
４５    記録部
５０    真空ポンプ
【図１】
2015087971.tif 000003
【図２】
2015087971.tif 000004
【図３】
2015087971.tif 000005
【図４】
2015087971.tif 000006
【図５】
2015087971.tif 000007
【図６】
2015087971.tif 000008
【図７】
2015087971.tif 000009
【図８】
2015087971.tif 000010
【図９】
2015087971.tif 000011
【図１０】
2015087971.tif 000012